(57)【要約】【課題】クロアリ及びシロアリの両方を防除するのに利用して好適なアリ用毒餌剤容器を提供する。【解決手段】アリ用毒餌剤容器は、底面２、天井面３及び側面４を有する中空の容器本体１と、容器本体１の側面４に設けられたクロアリ用の出入口（開口１７）と、容器本体１の底面２に設けられたシロアリ用の出入口（穴１１）とを備える。容器本体１の底面２には、周状に配置された外側壁部７と、外側壁部７の内側であって穴１１のまわりに周状に配置された内側壁部８とが設けられており、外側壁部７と内側壁部８との間に形成される周状の凹部１３をアリ用毒餌剤の配置領域とする。外側壁部７には開口１７につながる斜路１０が形成され、内側壁部８には穴１１につながる斜路１２が形成されている。【選択図】図５
2016073253.tif 000002
【特許請求の範囲】
【請求項１】
底面、天井面及び側面を有し、前記底面にアリ用毒餌剤を配置する中空の容器本体と、
前記容器本体の側面に設けられたクロアリ用の出入口と、
前記容器本体の底面に設けられたシロアリ用の出入口とを備えたことを特徴とするアリ用毒餌剤容器。
【請求項２】
前記容器本体の底面には、周状に配置された外側壁部と、前記外側壁部の内側であって前記シロアリ用の出入口のまわりに周状に配置された内側壁部とが設けられており、
前記外側壁部と前記内側壁部との間に形成される周状の凹部をアリ用毒餌剤の配置領域とし、
前記外側壁部には、前記クロアリ用の出入口につながる斜路が形成され、
前記内側壁部には、前記シロアリ用の出入口につながる斜路が形成されていることを特徴とする請求項１に記載のアリ用毒餌剤容器。
【請求項３】
前記外側壁部及び前記内側壁部には、前記凹部側にもそれぞれ斜路が形成されていることを特徴とする請求項２に記載のアリ用毒餌剤容器。
【請求項４】
前記容器本体は、前記底面及び前記側面を構成するベース部材と、前記天井面及び前記側面を構成する上蓋部材とからなることを特徴とする請求項１乃至３のいずれか１項に記載のアリ用毒餌剤容器。
【請求項５】
前記容器本体は、暗色の樹脂製であることを特徴とする請求項１乃至４のいずれか１項に記載のアリ用毒餌剤容器。
【発明の詳細な説明】
【技術分野】
【０００１】
本発明は、クロアリ及びシロアリの両方を防除するのに利用して好適なアリ用毒餌剤容器に関する。
【背景技術】
【０００２】
アリ用毒餌剤容器としては、例えば特許文献１に、容器本体の側面にアリ用の侵入口を有するとともに、容器本体に形成された挿通口と切り欠き部を利用して、アリを誘導するための食餌体を係止する構成が開示されている。
【先行技術文献】
【特許文献】
【０００３】
【特許文献１】特許第３９３０００９号公報
【発明の概要】
【発明が解決しようとする課題】
【０００４】
特許文献１には、収納空間を仕切板により２つに分割し、防除の対象となるアリ（例えば、ルリアリおよびイエヒメアリ）の種別に応じて各種薬剤等を適宜配合して個別に調製された毒餌剤をそれぞれ収納することが開示されている。
しかしながら、アリといっても、シロアリとクロアリはまったく異なる昆虫であり、その習性は大きく異なる。アリの種別に応じて毒餌剤を変えることは重要であるが、それだけではクロアリ及びシロアリの両方を効果的に防除できないことがある。
【０００５】
本発明は上記のような点に鑑みてなされたものであり、クロアリ及びシロアリの両方を防除するのに利用して好適なアリ用毒餌剤容器を提供することを目的とする。
【課題を解決するための手段】
【０００６】
本発明のアリ用毒餌剤容器は、底面、天井面及び側面を有し、前記底面にアリ用毒餌剤を配置する中空の容器本体と、前記容器本体の側面に設けられたクロアリ用の出入口と、前記容器本体の底面に設けられたシロアリ用の出入口とを備えたことを特徴とする。
また、本発明のアリ用毒餌剤容器の他の特徴とするところは、前記容器本体の底面には、周状に配置された外側壁部と、前記外側壁部の内側であって前記シロアリ用の出入口のまわりに周状に配置された内側壁部とが設けられており、前記外側壁部と前記内側壁部との間に形成される周状の凹部をアリ用毒餌剤の配置領域とし、前記外側壁部には、前記クロアリ用の出入口につながる斜路が形成され、前記内側壁部には、前記シロアリ用の出入口につながる斜路が形成されている点にある。この場合に、前記外側壁部及び前記内側壁部には、前記凹部側にもそれぞれ斜路が形成されるようにしてもよい。
また、本発明のアリ用毒餌剤容器の他の特徴とするところは、前記容器本体は、前記底面及び前記側面を構成するベース部材と、前記天井面及び前記側面を構成する上蓋部材とからなる点にある。
また、本発明のアリ用毒餌剤容器の他の特徴とするところは、前記容器本体は、暗色の樹脂製である点にある。
【発明の効果】
【０００７】
本発明によれば、クロアリ及びシロアリの両方を防除するのに利用して好適なアリ用毒餌剤容器を提供することができる。
【図面の簡単な説明】
【０００８】
【図１】第１の実施形態に係るアリ用毒餌剤容器を示す斜視図である。
【図２】第１の実施形態に係るアリ用毒餌剤容器の組み立て前の状態を示す図である。
【図３】第１の実施形態に係る組み立て前のアリ用毒餌剤容器を重ね合わせた状態を示す図である。
【図４】第１の実施形態に係るアリ用毒餌剤容器を示す側面図である。
【図５】図１のV-V線断面図である。
【図６】第２の実施形態に係るアリ用毒餌剤容器の組み立て前の状態を示す斜視図である。
【図７】第２の実施形態におけるクロアリ用の出入口の開閉を説明するための図である。
【図８】第２の実施形態におけるシロアリ用の出入口の開閉を説明するための図である。
【発明を実施するための形態】
【０００９】
以下、添付図面を参照して、本発明の好適な実施形態について説明する。
（第１の実施形態）
図１は、第１の実施形態に係るアリ用毒餌剤容器を示す斜視図である。図２は、第１の実施形態に係るアリ用毒餌剤容器の組み立て前の状態を示す図である。図３は、第１の実施形態に係る組み立て前のアリ用毒餌剤容器を重ね合わせた状態を示す図である。図４は、第１の実施形態に係るアリ用毒餌剤容器を示す側面図である。図５は、図１のV-V線断面図である。
本実施形態に係るアリ用毒餌剤容器は、底面２と、天井面３と、側面４とを有する薄型で中空の容器本体１からなる。
容器本体１は、合成樹脂製のベース部材５と、合成樹脂製の上蓋部材６とにより構成される。ベース部材５は、底面２と、側面４を構成する側面４ａとを有する。上蓋部材６は、天井面３と、側面４を構成する側面４ｂとを有する。
なお、本願における上下は、例えば図１に示すように上蓋部材６をベース部材５に組み付けて容器本体１を完成させて、設置した状態での上下をいうものとする。
【００１０】
ベース部材５は、図５に示すように、略矩形状の底面２に、側面４ａを構成する外側壁部７と、内側壁部８とが一体成形されたものである。外側壁部７は、底面２の周縁部のやや内側において略矩形状の周状に配置される。内側壁部８は、外側壁部７の内側において円環状の周状に配置される。
外側壁部７の各辺の中央には、開口部９が形成されている。開口部９は、上部に向かって幅広となり、上部が開放する形状となっている。そして、開口部９の底には、容器本体１の内側に向かって高くなる斜路（スロープ）１０が形成されている。なお、開口部９間の高さ、すなわち斜路１０の頂上の高さは、外側壁部７の高さよりも低くなっている。
【００１１】
また、底面２の中央には、内側壁部８の内側に穴１１が形成されている。そして、内側壁部８の内側面には、容器本体１の外側に向かって高くなる斜路１２が形成されている。斜路１２は、斜路１０と同等の傾斜を持ち、内側壁部８の高さは、開口部９間の高さと同等となっている。
【００１２】
このように外側壁部７と内側壁部８とが配置されることにより、その間には周状の凹部１３が区画形成されることになる。この周状の凹部１３を、アリ用毒餌剤（以下、単に毒餌剤と呼ぶ）の配置領域とする。外側壁部７及び内側壁部８には、凹部１３側にもそれぞれ斜路１４、１５が形成されている。
【００１３】
上蓋部材６は、底面２と同サイズの略矩形状の基板部１６と、基板部１６の周縁部のやや内側において立ち上がり、略矩形状の周状に配置された側面４ｂと、天井面３とが一体成形されたものである。
【００１４】
上蓋部材６をベース部材５に載置するようにして組み付けると、側面４ｂが外側壁部７の外側面の上部分を覆う。これにより、図４に示すように、側面視において、開口部９の上部分が側面４ｂで隠れて、上部が閉じた開口１７が形成される。
【００１５】
ここで、ベース部材５の外側壁部７の上面には、外側壁部７の外側縁部よりも内側において一段高くなった台部１８が形成されている。また、上蓋部材６の側面４ａに沿ってその内側には、天井面３よりも一段高くなった凹溝部１９が形成されている。上蓋部材６をベース部材５に組み付けると、台部１８が凹溝部１９に嵌まり込んで、上蓋部材６が支持されることになる。
【００１６】
また、ベース部材５の外側壁部７の外側面には、内側に凹む凹条部２０が形成されている。凹条部２０は、外側壁部７の外側面において各コーナ部を跨ぐように配置され、水平方向に伸びる。また、上蓋部材６の側面４ｂには、内側に凹む凹条部２１が形成されている。凹条部２１は、側面４ｂにおいて各コーナ部を跨ぐように配置され、水平方向に伸びる。上蓋部材６をベース部材５に組み付けると、凹条部２１が凹条部２０に嵌まり込んで、上蓋部材６が抜け落ちるのを防ぐことができる。
【００１７】
以下、本実施形態に係るアリ用毒餌剤容器の使用方法を説明する。
本実施形態に係るアリ用毒餌剤容器は、図２に示すように、ベース部材５の底面２の一辺と、上蓋部材６の基板部１６の一辺とがミシン目でつながっている。例えば図３に示すように、ベース部材５と上蓋部材６とのセットを重ね合わせた状態で包装、販売される。
【００１８】
使用時には、ミシン目を切り取ってベース部材５と上蓋部材６とを分離する。そして、ベース部材５の凹部１３に毒餌剤を置く。毒餌剤としては、例えば遅効性殺虫薬剤であるヒドラメチルノンと、クロアリに対する誘引剤であるショ糖（スクロース）やソルビットと、シロアリに対する誘引剤であるセルロースとをそれぞれ粒状にし、適量混合したものを用いる。粒状の毒餌剤を袋詰めしたものをアリ用毒餌剤容器と同梱しておき、使用時にユーザが毒餌剤を袋から出して凹部１３に置く。このように凹部１３に毒餌剤を収容するので、毒餌剤が容器本体１からこぼれ落ちにくくなっている。
【００１９】
そして、上蓋部材６をベース部材５に組み付けて容器本体１を完成させて、玄関先や庭等の屋外の適所に設置する。ベース部材５の隅には小穴２２が形成されており、例えば小穴２２に爪楊枝を挿して、容器本体１を地面に固定することができる。これにより、アリ用毒餌剤容器が風等で動くのを防ぐことができる。
【００２０】
クロアリは、地面から開口１７を経て容器本体１の内部に侵入し、斜路１０、１４を通って凹部１３に到着する。そして、凹部１３に到着したクロアリは、毒餌剤を食べるとともに、斜路１４、１０を通って開口１７から出て、毒餌剤を巣に持ち帰る。このように毒餌剤を巣に持ち帰ることにより、巣にいる他のクロアリをも防除することができる。このように開口１７がクロアリ用の出入口となる。
【００２１】
シロアリは、地中から穴１１を経て容器本体１の内部に侵入し、斜路１２、１５を通って凹部１３に到着する。そして、凹部１３に到着したシロアリは、毒餌剤を食べるとともに、斜路１５、１２を通って穴１１から出て、毒餌剤を巣に持ち帰る。このように毒餌剤を巣に持ち帰ることにより、巣にいる他のシロアリを防除することができる。また、シロアリには他のシロアリの死骸や排泄物を食べる習性があり、毒餌剤を食べて巣に戻ったシロアリ自体により、他のシロアリをも防除することができる。このように穴１１がシロアリ用の出入口となる。
【００２２】
なお、特にシロアリは暗部を好むことから、内部を暗くするために、ベース部材５及び上蓋部材６は黒等の暗色とするのが好ましい。
また、上述したように、上蓋部材６をベース部材５に組み付けると、図４に示すように、側面視において、開口部９の上部分が側面４ｂで隠れて開口１７が形成されるが、内部に光が入りにくくするように開口１７の開口幅や高さ等が設定されるのが好ましい。
【００２３】
（第２の実施形態）
次に、第２の実施形態に係るアリ用毒餌剤容器について説明する。なお、第２の実施形態に係るアリ用毒餌剤容器の基本構造は第１の実施形態と同様であり、以下では、第１の実施形態との相違を中心に説明し、第１の実施形態と同様の構成要素には同一の符号を付して、その説明を省略する。
図６は、第２の実施形態に係るアリ用毒餌剤容器の組み立て前の状態を示す斜視図である。
本実施形態に係るアリ用毒餌剤容器も、第１の実施形態と同様に中空の容器本体１からなり、容器本体１は、図６（ｂ）に示す合成樹脂製のベース部材５と、図６（ａ）に示す合成樹脂製の上蓋部材６とにより構成される。本実施形態では、容器本体１が薄型の円板形状を呈し、上蓋部材６をベース部材５に載置するようにして組み付けた状態で、上蓋部材６をベース部材５に対して回転させることができる。
【００２４】
ベース部材５は、円形状の底面２に、側面４ａを構成する外側壁部７と、内側壁部８とが一体成形されたものである。外側壁部７は、底面２の周縁部のやや内側において円環状の周状に配置される。内側壁部８は、外側壁部７の内側において円環状の周状に配置される。
外側壁部７には、ベース部材５の中心を挟んで両側の２箇所に、上部が開放する開口部９が形成されている。そして、開口部９の底には、容器本体１の内側に向かって高くなる斜路１０が形成されている。
【００２５】
また、底面２の中央には、内側壁部８の内側に穴１１が形成されている。内側壁部８には、ベース部材５の中心を挟んで両側の２箇所に、上部が開放する開口部２３が形成されている。そして、開口部２３の底には、容器本体１の外側に向かって高くなる斜路２４が形成されている。
【００２６】
上蓋部材６は、底面２と同サイズの円形状の基板部１６と、基板部１６の周縁部のやや内側において立ち上がり、略矩形状の周状に配置された側面４ｂと、天井面３とが一体成形されたものである。
側面４ｂには、上蓋部材６の中心を挟んで両側の２箇所に、下部が開放する開口部２５が形成されている。
【００２７】
また、天井面３の中央には、略円錐台状の突出部２６が設けられている。突出部２６は、上蓋部材６をベース部材５に組み付けると、内側壁部８の内側に入り込む形状となっている。そして、突出部２６の端部には、両端が開口する切り欠き溝２７が形成されている。
【００２８】
上蓋部材６をベース部材５に載置するようにして組み付けた状態で、上蓋部材６をベース部材５に対して回転させることができる。
ここで、上蓋部材６が所定の回転位置にあるときは、図７（ａ）に示すように、上蓋部材６の開口部２５がベース部材５の開口部９と重なり、クロアリ用の出入口が構成される。
また、図８（ａ）に示すように、突出部２６の切り欠き溝２７の両端開口がベース部材５の開口部２３に重なり、シロアリ用の出入口である穴１１が開口部２３に連通する。
【００２９】
一方、上蓋部材６を所定の回転位置から回転させると、図７（ｂ）に示すように、上蓋部材６の開口部２５がベース部材５の開口部９からずれて、上蓋部材６の側面４ｂが開口部９を閉じることになる。
また、図８（ｂ）に示すように、突出部２６の切り欠き溝２７の両端開口がベース部材５の開口部２３からずれて、突出部２６が開口部２３を閉じ、穴１１が開口部２３から遮断される。
【００３０】
このように上蓋部材６を所定の回転位置に位置させると、クロアリ用の出入口及びシロアリ用の出入口が開き、クロアリ及びシロアリを内部に導くことができる。そして、上蓋部材６を所定の回転位置から回転させると、クロアリ用の出入口及びシロアリ用の出入口が閉ざされる。このようにクロアリ用の出入口及びシロアリ用の出入口が閉ざされることより、凹部１３に粒状の毒餌剤を収容した状態で容器本体１を持ち運び等しても、毒餌剤がこぼれ落ちるのを防ぐことができる。
【００３１】
以上、本発明を種々の実施形態と共に説明したが、本発明はこれらの実施形態にのみ限定されるものではなく、本発明の範囲内で変更等が可能である。例えば各部の形状やサイズ等は限定されるものではなく、適宜設定されればよい。
【符号の説明】
【００３２】
１：容器本体、２：底面、３：天井面、４、４ａ、４ｂ：側面、５：ベース部材、６：上蓋部材、７：外側壁部、８：内側壁部、９、２３：２５：開口部、１０、１２、１４、１５、２４：斜路、１１：穴、１３：凹部
【図１】
2016073253.tif 000003
【図２】
2016073253.tif 000004
【図３】
2016073253.tif 000005
【図４】
2016073253.tif 000006
【図５】
2016073253.tif 000007
【図６】
2016073253.tif 000008
【図７】
2016073253.tif 000009
【図８】
2016073253.tif 000010